(57)【要約】  【課題】簡単な構造にしてコンパクトにし、装着も簡単に行なえると共に、装着場所の自由度が高く買い物袋を確実に掛止することができる小物掛け具を提供できるようにする。【課題手段】  軸受け部材に設けた第１支軸を回転中心として回動可能な掛止具と、前記第１支軸と直交する方向に第２支軸を軸受け部材に設け、当該第２支軸を回動中心とする小物吊持具とを備えて構成した。【選択図】図１
2005119441.tif 000002
【特許請求の範囲】
【請求項１】
軸受け部材に設けた第１支軸を回転中心として回動可能な第１小物掛止具と、前記第１支軸と直交する方向に第２枢支軸を軸受け部材に設け、当該第２枢支軸を回動中心とする第２小物掛止具とを備えてなる小物掛け具。
【請求項２】
第１小物掛止具又は／及び第２小物掛止具がフック若しくはリングである請求項１に記載の小物掛け具。
【請求項３】
第１小物掛止具若しくは第２小物掛止具の一端部分を直接軸受け部材に回動可能に枢支させて第１支軸と第２支軸の何れか一方の支軸を形成した請求項１に記載の小物掛け具。
【請求項４】
第１支軸と第２支軸の何れか一方の支軸が他方の支軸の軸受け部材からの抜け止めをしている請求項１または３に記載の小物掛け具。
【発明の詳細な説明】
【技術分野】
【０００１】
本発明は、小物掛け具に関し、特に自動車室内のヘッドレストの支柱に掛止して使用するものである。
【背景技術】
【０００２】
近年大型店舗は郊外に駐車場付きの店舗として建設される為に、買い物には車を使用することが多くなっている。
こうして車で出かけて買い物する場合、買った商品は座席か床に置いて持ち帰るようにしている。
ところが、買った商品を座席や床に置いて持ち帰る場合、車の振動や傾き等により買った商品が手提げ袋から飛び出し、室内に散乱してしまうという問題があった。
【０００３】
この改善策として、例えば座席の背面に折り畳み可能なトレーを取付け、このトレーの一部に手提げ袋を掛止することも考えられる。
ところが、こうした折り畳みテーブルは装着にも手間がかかり、嵩高いうえ、本来物を載せるためのトレーとして作られており、その一部に重い買い物袋を掛止させるとバランスが悪く、外れ易いという問題があった。
【特許文献１】特開平１０−２８７１６６号公報
【発明の開示】
【発明が解決しようとする課題】
【０００４】
本発明は、上記問題点に鑑み提案されたもので、簡単な構造にしてコンパクトにし、装着も簡単に行なえると共に、装着場所の自由度が高く買い物袋を確実に掛止することができる小物掛け具を提供できるようにすることを目的とするものである。
【課題を解決するための手段】
【０００５】
上記目的を達成する為に本発明に係る小物掛け具は、軸受け部材に設けた第１支軸を回転中心として回動可能な掛止具と、前記第１支軸と直交する方向に第２支軸を軸受け部材に設け、当該第２支軸を回動中心とする小物吊持具とを備えて構成したことを最も重要な特徴とするものである。
また、掛止具又は／及び小物吊持具がフック若しくはリングにしたり、掛止具若しくは小物吊持具の一端部分を直接軸受け部材に回動可能に枢支させて第１支軸と第２支軸の何れか一方の支軸を形成したりすること、さらに第１支軸と第２支軸の何れか一方の支軸が他方の支軸の軸受け部材からの抜け止めをするようにしたことも特徴とするものである。
【発明の効果】
【０００６】
本発明の小物掛け具は、軸受け部材に枢支させた第１支軸を回転中心として回動可能な掛止具と、前記第１支軸と直交する方向に第２支軸を軸受け部材に形成し、当該第２支軸を回動中心とする小物吊持具とを備えただけの構造なので、構造が簡単でコンパクトにすることができる利点がある。
【０００７】
また、本発明の小物掛け具を例えば自動車のシート部分に装着する場合、掛止具をヘッドレストの支柱に掛止させ小物吊持具を軸受け部材部分で回動させて垂下し、この第２掛止具に買い物をした手提げ袋を掛止させるだけ簡単に着脱することができる利点がある。
【０００８】
さらに、本発明の小物掛け具では着脱が簡単に行なえるので、従来のトレーのように装着場所が背面に限られず助手席の前面側や後部座席の前面側にも取付けることができ、取付け場所の自由度が増す利点もある。勿論、家屋の室内に装着する場合も同様の効果を奏することとなる。
【０００９】
加えて、掛止具又は／及び小物吊持具をフックで形成したものでは、小物掛け具の装着又は／及び買い物をした手提げ袋の装着を簡単に行なえる利点があり、掛止具又は／及び小物吊持具をリングで形成したものでは、小物掛け具の装着又は／及び買い物をした手提げ袋の装着を確りと吊持できる利点がある。
【００１０】
また、掛止具若しくは小物吊持具の１端部分を軸受け部材に回動可能に枢支させて第１支軸と第２支軸の何れか一方の支軸を形成するようにしたものでは、小物掛け具の支軸を簡素化できる利点もある。
【００１１】
第１支軸と第２支軸の何れか一方の支軸が他方の支軸の軸受け部材からの抜け止めをするようにしたものでは、支軸が軸受け部材から不意に抜け出すのを防止することができる利点がある。
【発明を実施するための最良の形態】
【００１２】
以下に本発明にかかる小物掛け具の最良の形態を図面に基づいて説明する。
図１は本発明の小物掛け具の斜視図であって、符号１は小物掛け具を全体的に示す。
この小物掛け具１は、略中央部に位置する軸受け部材２と、軸受け部材２に枢支させた第１支軸３と、第１支軸３を回転中心として回動可能な掛止具４と、前記第１支軸３と直交する状態で軸受け部材２に設けた第２支軸５と、この第２支軸５を回動中心とする小物吊持具６とを備えてなる。
【００１３】
上記軸受け部材２は、透明な合成樹脂で球状に形成され、図２及び図３に示すように、第２支軸５が嵌合する嵌合孔１６を左右方向に貫設するとともに、この嵌合孔１６に装着された第２支軸５の軸心Ａに直交する状態で上方に第１支軸３の挿通用の挿通孔７を穿設してある。
第１支軸３は、図２及び図３に示すように底部が球面状をした短寸の円柱に形成され、上端部には掛止具４の下端部に連結される連結部８が形成されるとともに、円柱部分の中間部分には第２支軸５の先端部分が嵌入して第１支軸３を抜け止めする装着孔９が穿設されている。
また、掛止具４の下端部に連結される第１支軸３の連結部８は、中央部分にスリットが形成された鏃状に形成されている。
【００１４】
上記掛止具４は、合成樹脂で疑問符形状に形成されており、下端部に掛止具４の下端部に連結された連結部８の鏃の首部分８ａが嵌合する孔１０付き鍔１１が形成されている。
また、上記第２支軸５は正面視略Ｖ字形に形成された吊持具６の上端部に一体形成されている。
即ち、吊持具６は、正面視略Ｖ字形に形成された下端部を手前上方に折り曲げてフック状にすると共に、Ｖ形の上端部分に上記第２支軸５を形成する短寸の円柱状支軸片５ａ・５ａがその先端部５ｂ・５ｂ同士を近接させた状態で一体に突出形成してある。
【００１５】
上記のように形成された小物掛け具１の各パーツは、先ず軸受け部材の嵌合孔１６に第２支軸５を嵌着する。
次に第１支軸３の上端の連結部８を掛止具４の下端部に連結し、この状態で第１支軸３を挿通孔７に押し入れる。すると、第１支軸３の下端の球面状部分が第２支軸５の先端部５ｂ・５ｂ間を押し広げて入り、当該第２支軸５の端部が第１支軸３の装着孔９に嵌入すると、第１支軸３は挿通孔７に回転不能で抜け止め状に装着されるが、掛止具４は連結部８の部分で第１枢支軸３の軸心Ｂを回転中心として回動可能となる。
【００１６】
斯くして組み立てられた小物掛け具１を自動車の車内で使用する場合を次に説明する。
第２支軸５の軸心Ａを回動中心として掛止具４を小物吊持具４に対して略９０度（略水平）にし、この掛止具４を図４に示すようにヘッドレスト１２の支柱部分１３に掛止させ、小物吊持具６に商品を収納した買物袋１４を吊持させるのである。
吊持具６に吊持された買物袋１４は商品の重みで確りと吊り下げられ、車の振動や揺れにも袋内の商品が飛び出したりすることがない。
【００１７】
尚、上記実施の例では車内のレッドレスト１２に装着して使用するようにしてあるが、こうしたものに限られず、例えば図５に示すように、家庭の室内にある掛止箇所１５にも使用することができる。この場合、小物吊持具６に吊持されるものは買物袋１４に限られないことは言うまでもないことである。さらに、流しの端に掛止してさせて例えばゴミ袋を掛止して保持することもできる。
また、図示は省略したが、上記実施例の第１支軸は軸受け部材と一体に形成することができるし、上記実施例では第１支軸を掛止具と別体で形成するようにしてあるが、これら両者を一体に形成することもできる。
加えて、上記の実施例では掛止具４と小物吊持具６をフック状にしてあるが、これをリング状にすることができるのは勿論のことである。
さらに、上記実施例の第２支軸についても軸受け部材に一体形成することもできる。
即ち、図示は省略した軸受け部材から第２支軸を突出させ、小物吊持部の上端部分に前記第２支軸が嵌合する軸受け孔を設け、両者を係合させることにより小物吊持部を軸受け部材に対して回動可能にすることができる。
【図面の簡単な説明】
【００１８】
【図１】本発明にかかる小物掛け具の正面図
【図２】本発明にかかる小物掛け具の要部の一部を切り欠いた正面図
【図３】本発明にかかる小物掛け具を分解した正面図
【図４】本発明にかかる小物掛け具の使用状態の斜視図
【図５】本発明にかかる小物掛け具の他の使用状態を示す斜視図
【符号の説明】
【００１９】
１・・・小物掛け具
２・・・軸受け部材
３・・・第１支軸
４・・・掛止具
５・・・第２支軸
６・・・小物吊持具
【図１】
2005119441.tif 000003
【図２】
2005119441.tif 000004
【図３】
2005119441.tif 000005
【図４】
2005119441.tif 000006
【図５】
2005119441.tif 000007